(57)【要約】【課題】本発明は、特殊なカバーを有する只１つの半導体検出器を、重要なセンサとして用いる器具と、この半導体検出器からの信号のパルス波高情報を、中性子／光子の混合された場で個人線量を測定するために、用いる方法とに関する。【解決手段】この器具は高い感度及び僅かなエネルギ依存性を有し、線量を直接読み取り、線量の限界を越えるとき、警報を発することができる。本発明に係わる方法は、電力消費の少ない、コンパクトでかつ故障し難い個人線量計の実現を可能にする。【選択図】図１
2004534257.tif 000002
【特許請求の範囲】
【請求項１】
中性子及び光子の線量の測定のために只１つの半導体計数器を用いること、及び、半導体計数器により得られるパルス波高情報を、中性子及び光子の線量の算出のために用い、パルスを適切なパルス波高間隔で累算し、平均的な感度によって割り、これにより、中性子及び光子の線量を同時に測定することを特徴とする、中性子／光子の混合された場で個人線量を測定する方法。
【請求項２】
０．１ｃｍ２と３０ｃｍ２の間の感度の高い面を有し、１Ｖと１００Ｖの間の電圧が印加される半導体検出器であって、１μｍと４００μｍの間の厚さを有する、感度の高い、濃度が低い層と、この感度の高い層の前に、１０ｎｍと２０μｍの厚さを有する中性層とを具備する半導体検出器を用い、この検出器の前にはエアギャップがあり、このエアギャップの前には６Ｌｉ又は１０Ｂを含む材料からなりかつ０．１μｍ乃至２．５ｃｍの厚さを有する第１のコンバータが設けられており、この第１のコンバータの前には、水素を含みかつ２．５ｃｍまでの厚さを有するプラスチックからなる第２のコンバータが設けられており、６Ｌｉ，１０Ｂ又はＣｄを含みかつ０．１ｍｍ乃至２ｃｍの厚さを有する材料からなる吸収器は、前記半導体検出器、前記エアギャップ及び前記第１の及び第２のコンバータを囲繞していることを特徴とする請求項１に記載の方法。
【請求項３】
パルスを適切なパルス波高間隔で累算し及び平均的な感度で割ることによって中性子及び光子の線量を同時に算出するために、只１つの半導体計数器と、この半導体計数器により得られるパルス波高情報のための評価手段とを具備することを特徴とする、中性子／光子の混合された場で個人線量を測定する装置。
【請求項４】
ａ）０．１ｃｍ２と３０ｃｍ２の間の感度の高い面を有し、１Ｖと１００Ｖの間の電圧が印加される半導体計数器は、１μｍと４００μｍの間の厚さを有する、感度の高い、濃度が低い層と、この感度の高い層の前に、１０ｎｍと２０μｍの間の厚さを有する中性層とを具備すること、
ｂ）前記検出器の前には、（２ｃｍまでの幅の）エアギャップがあること、
ｃ）このエアギャップの前には，６Ｌｉ又は１０Ｂを含む材料からなりかつ０．１μｍ乃至２．５ｃｍの厚さを有する第１のコンバータが取着されていること、
ｄ）この第１のコンバータの前には、水素を含みかつ２．５ｃｍまでの厚さを有するプラスチックからなる第２のコンバータが取着されていること、及び
ｅ）６Ｌｉ，１０Ｂ又はＣｄを含みかつ０．１ｍｍ乃至２ｃｍの厚さを有する材料からなる吸収器は、前記半導体検出器、前記エアギャップ及び前記コンバータを囲繞していることを特徴とする請求項３に記載の装置。
【発明の詳細な説明】
【技術分野】
【０００１】
本発明は中性子／光子の混合された場で個人線量を測定するための方法に関する。更に、本発明はこの方法を実行する装置に関する。
【背景技術】
【０００２】
光子のみからなる放射線場で適している、複数の直接に表示する個人線量計は知られている。しかし、中性子及び光子が混合で発生する放射線場のためには、現在、２つの器具しか知られていない。２つの器具は、特に、中性子放射線の個人線量の測定のためには、不十分な結果しか供しない。
【０００３】
これら２つの器具の一方は、［１］測定のために、４つの半導体検出器を利用する。しかし、この場合、数ｋｅＶ乃至数ＭｅＶのエネルギ範囲で出来る限り一定であるほうがよい、中性子線量に対する感度は、係数１００よりも大きく変化する。
【０００４】
２つの器具の他方（シーメンスＥＰＤ−ｎＭｋ２．０；表示はハンドブック及びこの器具自体のラベルから明らかである。構造に関する刊行物は知られていない）は、３つの半導体計数器を利用する。中性子の検出のためのエネルギ範囲は、ここでは、熱エネルギ乃至中間エネルギの範囲に限定される。従って、この器具は個人線量測定の重要な利用範囲において、中性子に対し感度を有しない。
【０００５】
中性子線量を測定するための、用いられる評価方法では、中性子によって発生されかつ電荷された核によって引き起こされる、パルス波高スペクトルの高エネルギ範囲が評価されることが知られている［２］。しかし、この方法は中性子と光子との線量の同時の評価のためには、適していない。
【発明の開示】
【発明が解決しようとする課題】
【０００６】
ここにおいて本発明が始まる。中性子／光子の混合された場のための直接表示する個人線量計であって、関連の作業領域に発生する放射線場では、正しい線量測定を２種類の放射線のために別個に及び全線量のために可能にする個人線量計を開発することが意図される。更に、出来る限り小さくかつ簡単な構造を可能する方法が選択された。何故ならば、複雑な構造は故障のし易さ及び調達費を増大させるからである。
【課題を解決するための手段】
【０００７】
この課題は、本発明により、明細書導入部に記載された種類の方法を用いて、中性子及び光子の線量の測定のために只１つの半導体計数器を用いること、及び、半導体計数器により得られるパルス波高情報を、中性子及び光子の線量の算出のために用い、パルスを適切なパルス波高間隔で累算し、平均的な感度によって割り、これにより、中性子及び光子の線量を同時に測定することによって解決される。
【０００８】
この場合、０．１ｃｍ２と３０ｃｍ２の間の感度の高い面を有し、１Ｖと１００Ｖの間の電圧が印加される半導体検出器であって、１μｍと４００μｍの間の厚さを有する、感度が高く、濃度が低い層と、この感度の高い層の前に、１０ｎｍと２０μｍの厚さを有する中性層とを具備する半導体検出器を用い、この検出器の前にはエアギャップがあり、このエアギャップの前には６Ｌｉ又は１０Ｂを含む材料からなりかつ０．１μｍ乃至２．５ｃｍの厚さを有する第１のコンバータが取着されており、この第１のコンバータの前には、水素を含みかつ２．５ｃｍまでの厚さを有するプラスチックからなる第２のコンバータが取着されており、６Ｌｉ，１０Ｂ又はＣｄを含みかつ０．１ｍｍ乃至２ｃｍの厚さを有する材料からなる吸収器は、半導体検出器、エアギャップ及び第１の及び第２のコンバータを囲繞していることは好ましい。
【０００９】
上記課題を解決するために、更に、明細書導入部に記載された種類の装置は、パルスを適切なパルス波高間隔で累算し及び平均的な感度で割ることによって中性子及び光子の線量を同時に算出するために、只１つの半導体計数器と、この半導体計数器により得られるパルス波高情報のための評価手段とを具備することを特徴とする。
【００１０】
この場合、ａ）０．１ｃｍ２と３０ｃｍ２の間の感度の高い面を有し、１Ｖと１００Ｖの間の電圧が印加される半導体計数器は、１μｍと４００μｍの間の厚さを有する、感度が高く、濃度が低い層と、この感度の高い層の前に、１０ｎｍと２０μｍの間の厚さを有する中性層とを具備すること、
ｂ）検出器の前には、（２ｃｍまでの幅の）エアギャップがあること、
ｃ）このエアギャップの前には，６Ｌｉ又は１０Ｂを含む材料からなりかつ０．１μｍ乃至２．５ｃｍの厚さを有する第１のコンバータが取着されていること、
ｄ）この第１のコンバータの前には、水素を含みかつ２．５ｃｍまでの厚さを有するプラスチックからなる第２のコンバータが取着されていること、及び
ｅ）６Ｌｉ，１０Ｂ又はＣｄを含みかつ０．１ｍｍ乃至２ｃｍの厚さを有する材料からなる吸収器は、半導体検出器、エアギャップ及びコンバータを囲繞していることは好ましい。
【発明を実施するための最良の形態】
【００１１】
本発明に係わる装置及び対応の方法は、光子が、その二次電子の比較的少ないエネルギ損失によって、主として、パルス波高スペクトルの低エネルギ範囲での信号を、引き起こすことを利用する。
【００１２】
中性子及び光子の線量を同時に測定する可能性は特に新規であり、簡単な、直接表示する線量計の、製造を可能にする。以下、中性子／光子の混合された場における、プローブ、光子に対する感度（Photonenansprechvermoegen）、下方の測定閾値及び特性を１つの実施の形態で記述し、次に一般化する。
【００１３】
図１に略示された、以下の構造を有する検出プローブを用いて、試験を行なった。ｎ形シリコン検出器（１）：２５７μｍ，５６０Ωｃｍ，１ｃｍ３の有効な面、
濃度が低く感度の高い層（２）：４０μｍの厚さ
中性層（３）：５０ｎｍの厚さ
エアギャップ（４）：０．４ｍｍの厚さ
コンバータ１（５）：６ＬｉＦ，３．６μｍの厚さ
コンバータ２（６）：ポリエチレン，１ｍｍの厚さ
吸収器（７）：ポリエチレン＋５０％のＢ４Ｃ，２ｍｍの厚さ
電圧（８）：９Ｖ。
【００１４】
コンバータ１及び２（５，６）は中性子検出のために最適である。これらのコンバータは、実質的に、シリコン検出器の前方の、プラスチック、ホウ素含有のプラスチック及び薄い６ＬｉＦ層からなる。９Ｖの印加電圧によって、４０μｍの、濃度が低く感度の高い層（２）となる。この薄い層は、光子放射線に対する感度を減少させる。それ故に、この層は、中性子線量の測定の際に、乱さない。この測定のためには、パルス波高スペクトルの高エネルギ範囲（＞１．５ＭｅＶ）が利用される。
【００１５】
しかし乍ら、パルス波高スペクトルの低いエネルギ範囲にある光子に対する高い感度がある。出来る限り簡単な線量計の製造のためには、光子線量の測定のための同一の検出用プローブの信号を使用し、中性子／光子の混合された場において、中性子によって発生された信号の、光子の表示への影響を最小限にすることが可能である。
【００１６】
このためには、ＩＳＯ・水ファントム（ISO-Wasser-Phantom）における線量計プローブを、Ｎ系列のＸ線及び１３７Ｃｓ，６０Ｃｏ，４．４ＭｅＶ及び６乃至７ＭｅＶのγ線で照射した［３，４］。半導体検出器の信号を、従来の核電子機器で増幅し、信号のパルス波高スペクトルを検出した。エネルギ検定を２４１Ａｍ源のアルファ粒子で行なった。エネルギ分解能は約３０ｋｅＶであった。光子の個人線量Ｈｐ（１０）＝１ｍＳｖに規格化された、測定されたパルス波高スペクトルは、図２に示されている。パルス波高スペクトルの低エネルギ範囲の場合の曲線のクロスオーバは、Ｈｐ（１０）に対するほぼ一定の感度のための最も容易な解決策が、約１００ｋｅＶ毎の唯一の間隔でのパルスの積分であること、を示している。光子の照射の際の強さが、この間隔で、特に高いので、中性子の、光子の表示への影響が最小限にされる。
【００１７】
図３は、６０ｋｅＶ乃至１５０ＫｅＶのパルス波高スペクトルにおけるパルスの積分を用いた、平均の光子エネルギの関数としての、感度を示している。照射を、検出面に対する直角の入射（０°）で及び、幾つかの場合には、検出法線に対し６０°で行なった。すべての数値は、８０ｋｅＶ乃至７ＭｅＶのエネルギ範囲にある光子の照射に関して、平均値（μＳｖにつき３２３パルス、図３の実線を参照せよ）とは、３０％よりも少なく異なっている。小さな光子エネルギ（Ｎ８０，平均的なエネルギ６５ｋｅＶ）の場合の低下は、多分、電子ノイズに関してバックグラウンドを最小限にするために約７０ｋｅＶで設定された電子閾値によって、引き起こされる。
【００１８】
下方の検出閾値は、ノイズのみならず、（自然の地球放射によって引き起こされる）バックグラウンド信号にも依存している。実験室での５日間に亘る測定は２．６μＳｖの光子の表示を生じさせた。この数値は、放射線保護での使用のためにはほとんど無視できるが、より正確な測定のためには減じられることもできる。１μＳｖの桁の下方の検出閾値は、８時間の測定時間の場合に容易に達成可能である。
【００１９】
中性子／光子の混合された場では、中性子は、主として、シリコンで弾性的に散乱された中性子の結果として、パルス波高スペクトルの低エネルギ範囲でも信号を発生させることができる［５］。本発明に係わる装置にとって正確な計算が存しないので、あり得る影響は、中性子の種々の検定の場での測定によって試験された。図４は、（２４１Ａｍ・Ｂｅ中性子源（低エネルギの中性子の遮蔽のためには１ｍｍＰｂ）によって実行された測定を示している。この測定は光子の個人線量Ｈｐ（１０）＝１ｍＳｖに規格化されている。
【００２０】
光子に対する感度との比較は、パルス波高範囲であり得る貢献（Beitraege）が数％よりも１００ｋｅＶだけ低いことを明示している。更に、分布の形態は、低エネルギのパルス波高スペクトル範囲において、光子に対する感度と類似している。中性子の検定の場は、通常、光子線量の僅かな割合を有し、影響は中性子のエネルギスペクトルにも依存していることがあるので、照射は、熱エネルギと１４．８ＭｅＶのエネルギとの間のエネルギの中性子を発生させる種々の源の、その中性子で実行され、平均的な感度を知っていて半導体検出器のパルス波高信号から測定される光子線量は、ガイガー・ミュラー計数器の結果と比較される。ガイガー・ミュラー計数器による測定は地上で自由に実行され、中性子に対するガイガー・ミュラー管の感度に関する測定値が補正された［６，７］。
【００２１】
ガイガー・ミュラー計数器が６０Ｃｏ源の光子の場において検定されたが、光子エネルギに関して何等補正されなかったので、２４１Ａｍ・Ｂｅ中性子源（この源では、より高いエネルギを有する光子（４．４５ＭｅＶ）が算出される）の場合に、ガイガー・ミュラー計数器のより高い感度の故に、これらのエネルギでは、係数１．７までの余りに高い数値が示されることができる。
【００２２】
光子対中性子の相対線量の結果は表１に示されている。半導体計数器で測定された、光子対中性子の相対線量率は、２４１Ａｍ・Ｂｅ中性子源での測定を除いて、ガイガー・ミュラー計数器の結果よりも僅かに高い（２％まで）。このような高い数値は、源の直接的な光子のみならず、ファントム中に中性子によって発生された光子によっても、引き起こされることができる。しかし、いずれにせよ、影響は小さくて、許容される。
【００２３】
表１：
半導体線量計で測定された、光子対中性子の当量線量の率（Ｈγ／Ｈη）Ｍｅｓｓと、中性子の種々の検定の場に関してガイガー・ミュラー計数器で測定された数値（Ｈγ／Ｈη）ＧＭとの比較。
【表１】
2004534257.tif 000003
【００２４】
光子の追加の検出のためには、中性子線量計のために既に開発された「低電力」電子機器（増幅器、ＡＤＣ、マイクロプロセッサ）を、知られた方法で改善しなければならない。その目的は、低エネルギパルス波高範囲におけるより良い分解度を達成するためである。
【００２５】
１つの実施の形態を参照して、中性子線量の測定のために最適な特殊なコンバータ及び吸収器を有する只１つの半導体検出器と、パルス波高情報とを用いて、中性子線量のみならず光子線量も測定することができる線量計を製造することができることを示した。中性子線量が、１．５ＭｅＶより上のエネルギの蓄積を引き起こす信号をベースにして、測定されるのに対し、光子線量の測定のためには、８０ｋｅＶ乃至１５０ｋｅＶのパルス波高信号が用いられる。
【００２６】
かくて、８０ｋｅＶ乃至７ＭｅＶの光子エネルギ範囲で、検出器の面に対し直角の入射及び検出法線に対し６０°での照射のために３０％より少なく変化する感度が得られる。検出の下限は１μＳｖの桁にある。中性子は、中性子／光子の混合された場では、２％より少ない光子の表示に寄与する。
【００２７】
一般的には、実施の形態で記述した原理に基づく解決策は、プローブ構造体のパラメータ及びパルス波高スペクトルの範囲が一定限度で変化されるときも、可能である。
【００２８】
プローブ構造体の可能な変形例：
半導体検出器（１）：０．１ｃｍ２乃至３０ｃｍ２の面
濃度が低くい層（２）：１μｍ乃至４００μｍの厚さ
中性層（３）：１０ｎｍ乃至２０μｍの厚さ
エアギャップ（４）：０乃至２ｃｍ
コンバータ１（５）：０．１ｍｍ乃至２ｃｍの厚さで、６Ｌｉ又は１０Ｂを有する材料
コンバータ２（６）：水素含有のプラスチック：０乃至２．５ｃｍ
吸収器（７）：６Ｌｉ、１０Ｂ又はＣｄを有する材料、０．１ｍｍ乃至２ｃｍの厚さ
電圧（８）：１乃至１００Ｖ
この場合、同様に、パルス波高スペクトルの範囲の以下の変化も可能である：
光子：１０ｋｅＶ乃至２ＭｅＶ
中性子：＞３００ｋｅＶ
プローブパラメータの示された可能な変化と、パルス波高スペクトルの範囲における変化とによって、プローブを、例えばμ粒子及び電子の場合に、他の放射線場でも使用し、他の測定量、例えば、環境当量線量、カーマ、生物学的線量を測定することは可能である。
【００２９】
すべての前記エネルギは２４１Ａｍ源からのα線によるエネルギ検定に関する。
【産業上の利用可能性】
【００３０】
光子及び中性子の混合された放射線が発生される作業場で個人線量を算出するために、本発明に係わる方法を用いることは好ましい。機器の僅かなエネルギ依存性、線量の直接的な表示及び警報閾値の形成は、放射線保護における著しい改善をもたらす。可能な利用分野は、燃料要素の搬送容器（例えばキャスタ）用の護衛、原子力発電所の作業員、高エネルギの粒子加速器の従業者、航空機のパイロット及び乗組員の個人線量の測定である。
【図面の簡単な説明】
【００３１】
【図１】線量計用プローブの概略的な構造を示している。
【００３２】
１．ｎ形シリコン検出器：２５７μｍ，５６０Ωｃｍ，１ｃｍ２の有効な面
２．濃度が低く感度の高い層：４０μｍ
３．中性層：５０ｎｍ
４．エアギャップ：０．４ｍｍ
５．コンバータ１：６ＬｉＦ，３．６μｍ
６．コンバータ２：ポリエチレン，１ｍｍ
７．吸収器：ポリエチレン±５０％のＢ４Ｃ，２ｍｍ
８．電圧：９Ｖ。
【図２】種々の線質の光子スペクトルに関して測定されたパルス波高スペクトルを示している。線質は図に示されている（括弧内の平均的なエネルギ）。すべての測定値はＨｐ（１０）＝１ｍＳｖに規格化されている。用いられた電子閾値は７０ｋｅＶの蓄えられたエネルギに対応する（２４１Ａｍ源によるエネルギ検定）。
【図３】Ｈｐ（１０）に基づく、図２と同一の光子に対する、線量計の相対感度は、平均の光子エネルギの関数として示されている。破線は、平均値（実線）とは、３０％の相違を示している。
【図４】２４１Ａｍ・Ｂｅ中性子源で測定されたパルス波高スペクトルを示している。比較のために、図２からの光子測定のパルス波高スペクトルが追加されている。
【図１】
2004534257.tif 000004
【図２】
2004534257.tif 000005
【図３】
2004534257.tif 000006
【図４】
2004534257.tif 000007
【国際公開パンフレット】
2004534257.tif 000008
2004534257.tif 000009
2004534257.tif 000010
2004534257.tif 000011
2004534257.tif 000012
2004534257.tif 000013
2004534257.tif 000014
2004534257.tif 000015
2004534257.tif 000016
2004534257.tif 000017
2004534257.tif 000018
2004534257.tif 000019
2004534257.tif 000020
2004534257.tif 000021
2004534257.tif 000022
2004534257.tif 000023
2004534257.tif 000024
2004534257.tif 000025
【国際公開パンフレット（コレクトバージョン）】
2004534257.tif 000026
2004534257.tif 000027
【国際調査報告】
2004534257.tif 000028
2004534257.tif 000029
2004534257.tif 000030
2004534257.tif 000031